Podtech/llm-jp-corpus-v4-ja_patent huggingface dataset:
(57)【要約】【課題】  本発明は、延長針付注射器と試料室一体型ガス注入口とを組み合わせて用いて、気体試料を試験装置へ導入するための自動気体試料注入装置に関するものである。【解決手段】  試料室一体型ガス注入口１と先端延長針付注射器１０とをシリコンゴム４と５の中心を通るように組み合わせて用い、これらの一体型ガス注入口１と注射器本体１０とを、それぞれ、直線運動を行うリニアシステムアクチュエーター１６と１５に固定して、注射器本体１０とプランジャー１４とを独立に動作できるようにし、試料ガスの採取・導入を行うようにリニアシステムアクチュエーター１５，１６を制御する。【選択図】図３
2007132914.tif 000002
【特許請求の範囲】
【請求項１】
延長針付注射器と試料室一体型ガス注入口とを組み合わせて用いる自動気体試料注入装置
【発明の詳細な説明】
【技術分野】
【０００１】  この発明は、常圧または数気圧程度で操作するガスクロマトグラフィーや各種試験装置で、気体試料を注入口より試験装置へ導入するための試料導入部分に関するものであり、これを自動で行わせるものである。
【背景技術】
【０００２】  従来は、試験装置の試料注入口と気体試料採取口とは別々に設けられており、試験装置へ試料を導入するには、注射器で試料採取口より試料を分取して、試験装置の注入口までもっていって、注入口へ注射器を差し込み、試料を注入するというものであった。これを自動で行う場合には、比較的大掛かりな装置を必要とするという難点があった。
【発明の開示】
【発明が解決しようとする課題】
【０００３】  この発明は、以上の難点を解決するため、気体試料採取室と試料導入室とを一体とした試料注入口および延長針付注射器とを用いることにより、注射器の抜き差し・移動の操作を簡略化し、比較的小さな装置で簡便に自動化ができるようにすることを課題とする。
【課題を解決するための手段】
【０００４】  試料室一体型ガス注入口１と延長針付注射器１０とを、注射針がシリコンゴム４と５の中心部を通るように組み合わせて用いる（図１，２）。
この組み合わせたシステムを二つの直線動作をする機械により制御して動かせば良い。ここでは、その一例としてリニアシステムアクチュエーターを用いた場合を以下に示す。【０００５】  試料室一体型ガス注入口１とリニアシステムアクチュエーター１６とを固定枠１８により固定する。【０００６】  延長針付注射器の本体１０とリニアシステムアクチュエーターの本体１５とを固定枠１７により固定する。【０００７】  固定枠１７をリニアシステムアクチュエーター１６の摺動部分２０へ４個の固定具２２により固定する。【０００８】  リニアシステムアクチュエーター１５の可動ロッド１９と注射器１０のプランジャー１４とを固定具２１により固定する。
以上のように構成する。なお、〔０００４〕項の図１，２は実際のものを示すが、〔０００５〕〔０００６〕〔０００７〕〔０００８〕項の図３は単なる模式的な構成図を示す。
【発明を実施するための最良の形態】
【０００９】  本装置の動作は或る一定量の気体試料を採取して、試験装置内へ導入するものである。実施は、次の通りである。【００１０】  図１のように、注射器本体１０を少し引き出し、針のガス出入口１２を試料採取室２までもってくる（図４の３）。このとき、注射針の先１３はシリコンゴム４に刺さったままとなっている。【００１１】  注射器プランジャ１４を引き出し注射器へある一定量の試料を採取する（図４の４）。【００１２】  図２のように、注射器本体１０を押し込んで、針のガス出入口１２を試料導入室３までもってくる（図４の１）。【００１３】  注射器プランジャ１４を押し込み、試料を導入する（図４の２）。
これが試料導入の一工程であり、必要なら、これを繰り返して行うことができる。【００１４】  この動作の自動化では、注射器本体の出し入れと注射器プランジャーの出し入れの二つの同一軸直線運動を行わせれば良い。【００１５】  これらの直線運動を行わせる動作のタイミングについて更に細かく示すと、図４のようになり、これらは次の５つの動作よりなりたっている。
（ｉ）（０）体止  −−−−−−−−  注射器が引き出されて試料ガスを採取した状態で指令を待つ
（ｉｉ）（１）押し込み  −−−−−  注射器を押し込む
（ｉｉｉ）（２）注入  −−−−−−  プランジャーを押し込む
（ｉｖ）（３）引き出し  −−−−−  注射器を引き出す
（ｖ）（４）採取  −−−−−−−−  プランジャーを引き出す
これら一連の動作のタイミングを合わせるように、二つのリニアシステムアクチュエーターを制御すれば良く、それは比較的簡単に実行できる。【００１６】  なお、動作を行わせる機械としては、ここでは一例としてリニアシステムアクチュエーターを用いたが、これに限らず、他のどんな機械を用いても良い。
【発明の効果】
【００１７】  本自動化装置は、試料採取口と試料注入口との間での注射器の移動の動作を必要としないので、大掛かりな装置を必要とせず、簡単・コンパクトな装置で自動化を行うことができる利点がある。
【図面の簡単な説明】
【００１８】
【図１】  本装置の一部（試料室一体型注入口と先端延長針付注射器とを組み合わせたもの）を示す断面図
【図２】  同上
【図３】  本装置の全体を示す模式図
【図４】  本装置の動作・制御のタイミングを示す模式図
【符号の説明】
【００１９】１  試料室一体型ガス注入口
２  試料採取室
３  試料導入室
４，５  シリコンゴム
６  キャリアーガス入口
７  キャリアーガス出口（試験室核心部への接続口）
８  試料ガス流入口
９  試料ガス流出口
１０  注射器本体
１１  先端延長針
１２  ガス出入口
１３  延長先端
１４  プランジャー
【００２０】１５  ロッドタイプリニアシステムアクチュエーター
１６  ロッドレスタイプリニアシステムアクチュエーター
１７  注射器１０とロッドタイプリニアシステムアクチュエーター１５との固定枠
１８  一体型ガス注入口１とロッドレスタイプリニアシステムアクチュエーター１６との固定枠
１９  リニアシステムアクチュエーター１５の可動ロッド
２０  リニアシステムアクチュエーター１６の摺動カーソル
２１  可動ロッド１９と注射器プランジャー１４との固定具
２２  摺動カーソル２０と固定枠１７との固定具
【図１】
2007132914.tif 000003
【図２】
2007132914.tif 000004
【図３】
2007132914.tif 000005
【図４】
2007132914.tif 000006
(57)【要約】【課題】  電子文書金庫の貸し出し、情報の開示【解決手段】  図のようにシステムを構成します：      ・  金融機関に企業、機関、個人などの電子文書金庫システムを置ける。      ・  企業、機関、個人などの電子機密文書の権限を設定します。      ・  電子署名、タイムスダンプによる認証を行います。      ・  自動的にデータの暗号化、復号化を行います。      ・  アクセス履歴を管理します。【選択図】なし【特許請求の範囲】
【請求項１】
金融機関（銀行、信用金庫、信託銀行、証券会社、クレジット会社）がインタネットを通して顧客に暗号化できる電子文書金庫を貸し出すサービスの提供すること。
【請求項２】
顧客授権による金融機関（銀行、信用金庫、信託銀行、証券会社、クレジット会社）の電子文書金庫に保管されている情報を開示するサービスの提供すること。
【請求項３】
金融機関（銀行、信用金庫、信託銀行、証券会社、クレジット会社）の電子文書金庫に保管されている情報により受発注業務を行うサービスの提供すること。
【請求項４】
金融機関（銀行、信用金庫、信託銀行、証券会社、クレジット会社）の電子文書金庫に保管されている情報により文書決済を行うサービスの提供すること。
【発明の詳細な説明】
【技術分野】
【０００１】該当サービスはネット通信（インターネット、イントラネット、ＷＡＮなど）、独自な暗号化技術、電子文書の権限管理手法を利用して実現します。
【背景技術】
【０００２】・  Ｃｏｂｒａカオス暗号を用いているセキュリティソフトウェアを持っています。６４から８１９２ビットまで自由対応方法です。
・  電子文書の権限管理ソフトを持っています。
【発明の開示】
【０００３】・  電子文書金庫の貸し出しサービス：
顧客に一番安全な情報保管場所を提供します。
ネット通信（インターネット、イントラネット、ＷＡＮなど）を利用する専用ソフトを通して、顧客が重要な電子情報を金融機関にある自分専用の電子文書金庫に保管することができ、情報の登録、更新、参照、印刷するサービスを提供します。
・  情報の開示サービス：
電子文書の発行元の権限（更新、参照、印刷）設定により、指定した第三者（企業など）に文書の開示サービスを提供します。例えばＬＣ発行業務支援などのサービス。
・  受発注業務のサービス：
業務に関連する契約書、発注書、請負書など書類の保管、開示及び業務開始から業務終了までの継続的な管理のサービスを提供します。
・  文書決済のサービス：
発注書、請求書など書類より金銭的な決済サービスを提供します。
【発明が解決しようとする課題】
【０００４】▲１▼機密情報を信頼のあるところに保管します。
▲２▼従来の情報は自社で管理していますが、機密情報を盗難や漏洩されます。
▲３▼機密情報を管理するためのコストダウンします。
【課題を解決するための手段】
【０００５】・  上記▲１▼の解決手段が金融機関を採用します。
・  上記▲２▼の解決手段が機密情報を自社で管理せず、金融機関に保管します。
・  上記▲３▼の解決手段が社内には高額なセキュリティ管理システムが必要なく、コスト削減できます。
【発明の効果】
【０００６】該当発明の利用者としては以下の効果がある。
・  顧客に一番安全な情報保管場所を提供します。
・  お客の重要な情報漏洩を防止します。
・  巨大な情報セキュリティシステムの投資を低減します。
・  印刷費・郵送費を消減します。
・  業務効率をアップします。
・  印紙代を節約します。
・  情報資産監査を実現します。
・  巨大な利益を得ます。
・  独自、柔軟な暗号化技術により、ビジネスを他国に展開できます、
【発明を実施するための最良の形態】
【０００７】・  以下の機能で電子文書金庫サービス用に多重化サーバマシンを構築します。
▲１▼Ｃｏｂｒａカオス暗号化ソフトと電子文書の権限管理ソフトの使用
▲２▼企業口座／情報の暗号化
▲３▼長期、安全な情報資産の保管
▲４▼情報のセキュア流通（配送＆受領）
▲５▼情報資産権限の委譲
▲６▼情報資産の検索
▲７▼情報資産セキュリティポリシーの設定
▲８▼情報資産の不正改竄の防止
▲９▼情報資産の時効性の管理
▲１０▼電子情報の不正印刷・保存操作の防止
▲１１▼情報資産のアクセスログの提供
▲１２▼電子情報の世代管理
▲１３▼電子署名
【実施例】
【０００８】ソフトの開発業務
▲１▼  １発注元⇒２発注先へ発注書の発行
発注元は発注書を作成、電子発注書の権限を発注先に参照可能な権限に設定し、発注元の３電子文書金庫に保管します。自動的に５メールで発注先へ通知します。
▲２▼  ２発注先⇒１発注元へ請負書の発行
発注先は発注元からの発注書（参照権限あり）を確認し、発注元に参照可能な権限持ち請負書を作成し、発注先の４電子文書金庫に保管します。自動的に５メールで発注元へ通知します。
▲３▼  ２発注先は請負書を参照します。
▲４▼  ２発注先は開発完了時点で、１発注元に参照可能な権限持ち納品書を作成し、２発注先の４電子文書金庫に保管します。自動的にメールで１発注元へ通知します。
▲６▼  １発注元は納品書、納品物件（別のルートで）を確認し、同じように発注先に参照権限持ち納品受領書を作成し、１発注元の３電子文書金庫に保管します。自動的にメールで発注元へ通知します。６決済システムを利用し、お金の支払いを行います。【０００９】個人情報
▲１▼  ８個人の秘密文書を他人に変更、参照、印刷などできない権限に設定し、自分の７電子文書金庫に保管します。好きな場所、タイミングで変更、参照、印刷ができます。
【図面の簡単な説明】
【００１０】
【図１】  該当発明を示した構成図である。
【符号の説明】
【００１１】１．  企業Ａ
２．  企業Ｂ
３．  企業Ａの電子文書金庫
４．  企業Ｂの電子文書金庫
５．  ＭａｉｌＧｕａｒｄ
６．  銀行決済
７．  個人電子文書金庫
８．  個人
９．  病院電子文書金庫
１０．官公庁電子文書金庫
１１．学校電子文書金庫
１２．病院
１３．官公庁
１４．ＤａｔａＧｕａｒｄソフト
１５．学校
１６．電子署名
１７．タイムスダンプ
１８．復号
【図１】
2007035002.tif 000002
(57)【要約】  【課題】アルミニウム電解コンデンサ用陽極箔の陽極酸化皮膜の膜厚を薄くし、高静電容量化を図った場合でも、漏れ電流の増加を抑制できる化成方法を提供する。  【解決手段】エッチングされたアルミニウム箔に、陽極酸化皮膜を形成するアルミニウム電解コンデンサ用陽極箔の製造方法において、  エッチング箔にケイ素、または二酸化ケイ素を蒸着する工程と、高温純水中に浸漬する工程と、陽極酸化する工程を有することを特徴とし、上記のケイ素、または二酸化ケイ素の蒸着層の厚さが５〜２００ｎｍ、高温純水中の浸漬時間が５〜３０分であることを特徴とする。  【選択図】なし【特許請求の範囲】
【請求項１】
エッチングされたアルミニウム箔に、陽極酸化皮膜を形成するアルミニウム電解コンデンサ用陽極箔の製造方法において、
エッチング箔にケイ素、または二酸化ケイ素を蒸着する工程と、高温純水中に浸漬する工程と、陽極酸化する工程を有することを特徴とするアルミニウム電解コンデンサ用陽極箔の製造方法。
【請求項２】
請求項１記載のケイ素、または二酸化ケイ素の蒸着層の厚さが５〜２００ｎｍ、高温純水中の浸漬時間が５〜３０分であることを特徴とするアルミニウム電解コンデンサ用陽極箔の製造方法。
【発明の詳細な説明】
【技術分野】
【０００１】
本発明は、アルミニウム電解コンデンサ用陽極箔（以下、陽極箔と称す）の製造方法に関するものであり、特に、静電容量向上に効果のある化成方法に関するものである。
【背景技術】
【０００２】
従来、陽極箔は、エッチングされたアルミニウム箔（以下、エッチング箔という）を高温純水中に浸漬して疑似ベーマイト皮膜を形成した後、ホウ酸アンモニウム等のバリヤー皮膜生成溶液中で陽極酸化（化成）する方法により製造されている。
また、一般的な陽極酸化処理として、所定の化成電圧まで到達した後、加熱処理や酸浸漬処理等のいわゆるデポラリゼーション（減極）処理により、漏れ電流の原因となる酸化皮膜中のボイド、クラック等を露呈させ、更に修復化成を繰り返すことにより、所望の陽極酸化皮膜を形成している（例えば、非特許文献１参照）。
【非特許文献１】永田伊佐也著、「電解液陰極アルミニウム電解コンデンサ（アルミニウム乾式電解コンデンサ増補改訂版）」、日本蓄電器工業株式会社出版、１９９７年２月２４日、第２版第１刷、ｐ.３１０〜３１４
【０００３】
携帯電話やノ−トパソコンなどに代表される昨今の電気、電子機器の小形化、軽量化の進行により、アルミニウム電解コンデンサも小形化、高静電容量化が要求されている。
それに伴い陽極箔においても、さらなる高静電容量化の要求が強い。  
【０００４】
しかし、高い静電容量を有する陽極箔を得るためには、陽極酸化皮膜の結晶化度を高めて、耐電圧当たりの陽極酸化皮膜の膜厚を薄くしなければならない。
しかし、結晶化が進むにつれ、陽極酸化皮膜中のボイドやクラックが増大し、修復化成で修復しきれなかったボイドやクラックにより、漏れ電流が増加するという問題があった。
このため、従来の方法では漏れ電流を増加させることなく、静電容量を増加させることに限界があった。
【発明の開示】
【発明が解決しようとする課題】
【０００５】
上記のような問題があったため、陽極酸化皮膜の形成時に、耐電圧当たりの陽極酸化皮膜の膜厚を薄くした場合でも、酸化皮膜中のボイドやクラックが増大せず、漏れ電流の増加を抑制できる手段が求められていた。
【課題を解決するための手段】
【０００６】
本発明は上記課題を解決するもので、エッチングされたアルミニウム箔に、陽極酸化皮膜を形成するアルミニウム電解コンデンサ用陽極箔の製造方法において、
エッチング箔にケイ素、または二酸化ケイ素を蒸着する工程と、高温純水中に浸漬する工程と、陽極酸化する工程を有することを特徴とするアルミニウム電解コンデンサ用陽極箔の製造方法である。
【０００７】
また、上記のケイ素、または二酸化ケイ素の蒸着層の厚さが５〜２００ｎｍ、高温純水中の浸漬時間が５〜３０分であることを特徴とするアルミニウム電解コンデンサ用陽極箔の製造方法である。
【発明の効果】
【０００８】
エッチング箔に陽極酸化皮膜を形成する前処理として、ケイ素、または二酸化ケイ素をエッチング箔に蒸着した後、高温純水中に浸漬処理して疑似ベーマイト皮膜を形成し、化成液中で所定の電圧まで陽極酸化（化成）することにより、ケイ素を含んだ疑似ベーマイト皮膜から変質した結晶性酸化皮膜を形成することができる。
よって、上記のケイ素を含んだ結晶性酸化皮膜により、漏れ電流を増加させることなく、耐電圧当たりの酸化皮膜厚さを薄くした陽極箔を製造することができ、電解コンデンサの高静電容量化、漏れ電流の低減化を図ることができる。
【発明を実施するための最良の形態】
【０００９】
以下、本発明について実施例に基づき具体的に説明する。
面積比３０倍にエッチング処理された電解コンデンサ用陽極アルミニウム箔を供試材とし、以下の方法にて化成処理を行った。
【００１０】
［実施例１〜９］
エッチング箔に、ケイ素を膜厚３〜３００ｎｍまで蒸着した。
次に、９０±２℃の純水中に１０分間浸漬し、疑似ベーマイト皮膜を形成する、水和処理を行った。
その後、比抵抗１，０００Ω・ｃｍ、ｐＨ４．５に調整した、８５±２℃のホウ酸アンモニウム水溶液中で５００Ｖを印加し、同電圧を６０分間保持した。
さらに、熱処理と酸浸漬処理のいわゆるデポラリゼーション（減極）処理により、酸化皮膜中のボイド、クラック等を露呈させ、上記ホウ酸水溶液で修復化成を２回行った。
【００１１】
（従来例）
上記実施例と同様のエッチング箔を使用し、上記の蒸着処理は行わない以外は実施例と同様の条件で、疑似ベーマイト皮膜の形成、陽極酸化（化成）、デポラリゼーション処理、および修復化成を行った。
【００１２】
上記の実施例１〜９、従来例による陽極箔について、静電容量と４００Ｖでの漏れ電流を測定した結果を表１に示す。
【００１３】
【表１】
2007035902.tif 000002
【００１４】
表１より明らかなように、本発明による実施例１では、ケイ素による蒸着層を形成した後、疑似ベーマイト皮膜を形成する工程を行うことにより、従来例と比較して漏れ電流は同等でありながら、静電容量を増加させることができる。
なお、上記の蒸着処理における膜厚は、５〜２００ｎｍの範囲が望ましい。膜厚３ｎｍでは静電容量の改善効果が十分ではなく（実施例１）、また、３００ｎｍでは静電容量が改善されない上、コスト、工数の面で不利となる（実施例９）。
【００１５】
［実施例１０〜１５］
次に、上記実施例６の条件で、疑似ベーマイト皮膜を形成する際の水和処理時間を３〜３０分とし、静電容量と４００Ｖでの漏れ電流を測定した結果を表２に示す。
【００１６】
【表２】
2007035902.tif 000003
【００１７】
表２より明らかなように、ケイ素による蒸着層を形成した後、水和処理による、疑似ベーマイト皮膜を形成する工程を５分以上行うことにより、従来例と比較して漏れ電流は同等でありながら、静電容量を増加させることができる。水和処理時間３分では静電容量が低下し（実施例１０）、また、３０分を超えると工数面で好ましくないため、上記の水和処理時間は５〜３０分とするのが良い。
【００１８】
なお、上記実施例では、エッチングされたアルミニウム箔にケイ素を蒸着したが、二酸化ケイ素を蒸着使用しても、同様の効果を得ることができる。
(57)【要約】      （修正有）【課題】電気ポット及び炊飯ジャー等の電源コードのマグネットプラグの電極はむき出しで、あまり絶縁がなされていないので、マグネットプラグを抜いてそのまゝ置くと、マグネットで周辺の金属片を吸着して、短絡による火災事故を又幼児がなめると感電事故を起こしかねないことを防ぐ絶縁用ゴムキャップを提供する。【解決手段】電源コード６のマグネットプラグ４に、マグネット部分は開口２し、電極部分は十字の切り込み３を入れた絶縁用ゴムキャップ１を装着する。電源コードの使用時は電気ポットの電極で、絶縁用ゴムキャップの十字の切り込みを中方向に押し開き、マグネットプラグの電極と電気ポットの電極が接続する。又マグネットプラグを抜くとゴムの弾性で、十字の切り込みが元に返り電極を絶縁する。【選択図】図２
2007035608.tif 000002
【特許請求の範囲】
【請求項１】
（図２）の様に電源コード（６）のマグネットプラグ（４）のマグネット（５）部分は開口（２）し、（図３）のマグネットプラグの電極（９）部分は（図１）の十字の切り込み（３）を入れた。絶縁用ゴムキャップ（１）をマグネットプラグに装着する。
【請求項２】
（図３）の様にマグネットプラグ（４）の接続時は十字の切り込み（３）は電気ポット（７）の電極（８）によって中方向に押し開き、電気ポットの電極とマグネットプラグの電極（９）が接続する。
次にマグネットプラグを抜くと（図２）の様に十字の切り込みがゴムの弾性によって元の返り、マグネットプラグの電極を覆い隠し絶縁する。
【発明の詳細な説明】
【技術分野】
【０００１】電源コードのマグネットプラグに絶縁用ゴムキャップの装着に関する。
【背景技術】
【０００２】電気ポット及び炊飯ジャー等の電源コードのマグネットプラグの電極はむき出しで、あまり絶縁がなされていない。
【発明の開示】
【発明が解決しようとする課題】
【０００３】電気ポット及び炊飯ジャー等の電源コードのマグネットプラグを抜いてそのまゝ置くと、マグネットで周辺の金属片を吸着し、最悪の場合は、短絡して火災事故を起こしかねない、又幼児がなめると感電するやも分りません。
【課題を解決するための手段】
【０００４】（図１）の様にマグネット部分は開口（２）し、電極部分は十字の切り込み（３）を入れた絶縁用ゴムキャップ（１）を（図２）の様にマグネットプラグ（４）に装着し、（図３）の様に電気ポット（７）の電極（８）を差し込むと、電気ポットの電極で絶縁用ゴムキャップの十字の切り込みを中方向に押し開き、電気ポットの電極とマグネットプラグの電極（９）が接続される。
又マグネットプラグを抜くとゴムの弾性で十字の切り込みが元に返り、マグネットプラグの電極を覆い隠し絶縁する。
発明の効果【０００５】本発明の効果は短絡事故及び感電事故の防止。
【発明を実施するための最良の形態】
【０００６】絶縁用ゴムキャップ（１）の縦横の内径はマグネットプラグ（４）よりやゝ小さめで、マグネット部分はマグネット（５）が露出するようにやゝ大きいめに開口（２）し、又電極部分は２ヶ所十字の切り込み（３）を入れる。ゴムの厚さは０．５ｍｍ程で、弾性的な材質のゴムを使用する。
（
【図面の簡単な説明】）【０００７】（【図１】）
【０００８】絶縁用ゴムキャップの立体図
（【図２】）
【０００９】マグネットプラグに絶縁用ゴムキャップを装着した立体図
（【図３】）
【００１０】電気ポットにマグネットプラグを差し込んだ側面図
（
【符号の説明】
）
１  絶縁用ゴムキャップ
２  開口
３  十字の切り込み
４  マグネットプラグ
５  マグネット
６  電源コード
７  電気ポット
８  電気ポットの電極
９  マグネットプラグの電極
【図１】
2007035608.tif 000003
【図２】
2007035608.tif 000004
【図３】
2007035608.tif 000005
(57)【要約】【課題】コンデンサを２つ以上直列に配置した場合でも、コストを低減する。【解決手段】直列に接続された容量の異なる第１及び第２コンデンサ（Ｃ１、Ｃ２）を備える直列コンデンサにおいて、第２コンデンサＣ２の容量を第１コンデンサＣ１の容量より大きくし、第２コンデンサの公差を第１コンデンサの公差よりも大きくした。【選択図】図１
2007035873.tif 000002
【特許請求の範囲】
【請求項１】
直列に接続された容量の異なる第１及び第２コンデンサを備える直列コンデンサにおいて、第２コンデンサの容量を第１コンデンサの容量より大きくし、第２コンデンサの公差を第１コンデンサの公差よりも大きくしたことを特徴とする直列コンデンサ。
【発明の詳細な説明】
【技術分野】
【０００１】
本発明は２個以上のコンデンサを直列に接続した直列コンデンサに関する。
【背景技術】
【０００２】
従来において、セラミックコンデンサは、小型で高精度な用量を確保できる特徴があるが、反面、衝撃や歪に弱く、本体にクラックが入るなどして、リークする危険がある。このため、重要な部位にセラミックコンデンサを使用する場合は、コンデンサを直列に接続し、万一一方のコンデンサがリークしても、もう片側で絶縁を確保することで、安全に機能が満たされるように配慮するのが一般的である。
【０００３】
例えば、特許文献１では、アクティブマトリクスアレイの信号保持用コンデンサとして２個のコンデンサを直列に接続したものを用いている。
【特許文献１】特公平０７−１０９４５９号公報（第１図及び第２図参照）
【発明の開示】
【発明が解決しようとする課題】
【０００４】
しかしながら、タイマーなどの高精度な容量が要求される部位では、高精度のコンデンサを２つ直列に接続した場合、部品費が高くなる。例えば、１００ｐＦ±２％の容量が必要な場合、２００ｐＦ±２％のコンデンサを二つ直列に接続せねばならない。
【０００５】
そこで、本発明においては、コンデンサを２つ以上直列に配置した場合でも、コストを低減することを課題とする。
【課題を解決するための手段】
【０００６】
上記した課題を解決するために講じた技術的手段は、直列に接続された容量の異なる第１及び第２コンデンサを備える直列コンデンサにおいて、第２コンデンサの容量を第１コンデンサの容量より大きくし、第２コンデンサの公差を第１コンデンサの公差よりも大きくしたことである。
【０００７】
直列に接続された２つの第１，第２コンデンサの合成容量Ｃは、それぞれ第１，第２コンデンサの容量をＣ１，Ｃ２とすると、Ｃ＝（Ｃ１×Ｃ２）／（Ｃ１＋Ｃ２）であらわされる。例えば、１００ｐＦ±２％のコンデンサを実現しようとした場合、Ｃ１＝１００ｐＦ±２％の第１コンデンサに直列にＣ２＝０．１μＦ±２０％（１０００００ｐＦ）の第２コンデンサを使用した場合の合成容量は、９７．９〜１０１．９ｐＦとなり、Ｃ２の公差の影響をほとんど受けることなく高精度の容量を維持できることがわかる。したがって、第２コンデンサとして、公差は大きいが、部品単価の安いコンデンサとなるので、全体として安価になる。この場合でも、直列コンデンサの容量のばらつきを抑えることができる上、第１コンデンサ及び第２コンデンサのいずれか一方がリークしても、直列コンデンサの両端としては、他方のコンデンサにより絶縁を確保できる。
【発明の効果】
【０００８】
本発明の技術的手段によれば、コンデンサを２つ以上直列に配置した場合でも、コストを低減できる。
【発明を実施するための最良の形態】
【０００９】
本発明に従った実施の形態を図面に基づいて説明する。
【００１０】
図１に本発明の直列コンデンサを適用した回路例を示す。図１において、直流電源電圧Ｖｃｃとグランドの間に制御装置ＣＰＵが接続されている。制御装置ＣＰＵはマイクロコンピュータやゲートアレイなどの制御装置で、電源電圧Ｖｃｃを使って作動し図示しない出力回路を制御するものである。第１コンデンサＣ１及び第２コンデンサＣ２は直列に接続されて直列コンデンサとなっている。この直列コンデンサに一端は制御装置ＣＰＵの入力端子に接続されている。またこの一端は抵抗Ｒ１を介して電源電圧Ｖｃｃに接続されている。直列コンデンサの他端はグランドに接続されている。
【００１１】
第１コンデンサＣ１及び第２コンデンサＣ２はセラミックコンデンサであり、第１コンデンサＣ１の容量は１００ｐＦで公差（精度）は±２％、第２コンデンサＣ１の容量は０．１μＦで公差（精度）は±２０％としている。
【００１２】
制御装置ＣＰＵは入力端子に接続された直列コンデンサへの充放電に応じて所定の制御を行う。例えば、時定数の設定に使うことができる。
【００１３】
直列コンデンサの平均容量はＣ＝（Ｃ１×Ｃ２）／（Ｃ１＋Ｃ２）であらわされるので、（１００ｐＦ×１０００００ｐＦ）／（１００ｐＦ＋１０００００ｐＦ）＝９９．９０ｐＦとなる。コンデンサの精度を加味すると、容量の最低値は（９８ｐＦ×８００００ｐＦ）／（９８ｐＦ＋８００００ｐＦ）＝９７．８８ｐＦ、最大値は（１０２ｐＦ×１２００００ｐＦ）／（１０２ｐＦ＋１２００００ｐＦ）＝１０１．９１ｐＦとなる。すなわち、ほぼ９９．９ｐＦ±２％が達成できている。
【００１４】
直列コンデンサの用途としては、このほか、電源の両端への接続や制御装置ＣＰＵの電源端子とグランド端子の間に接続などにより、電圧変動や外部から飛来するノイズの影響などを直列コンデンサが吸収し、制御装置ＣＰＵの両端に加わる電圧を安定化させるような用い方も可能である。
【図面の簡単な説明】
【００１５】
【図１】本発明の直列コンデンサを適用した回路図
【符号の説明】
【００１６】
Ｃ１  第１コンデンサ
Ｃ２  第２コンデンサ
【図１】
2007035873.tif 000003
(57)【要約】  【課題】  変流器の焼損を未然に防止する。  【解決手段】  電力系統など大電流が流れる線路１１に変流器１２が設置される。変流器１２の２次側には、第１電流検出器１３とプラグイン形避雷器１４との直列回路１５が接続され、変流器１２の２次側に高電圧が発生した場合、まず、避雷器１４が高速動作して、変流器１２の２次側を短絡させて変流器１２の焼損を防止する。避雷器１４が動作すると、直列回路１５には避雷器通電電流ｉBが流れる。この通電電流ｉBが、第１電流検出器１３を動作させる電流値以上になると、この第１電流検出器１３の接点１３ａが閉成して、変流器１２の２次側を短絡させる。  【選択図】  図１
2007035808.tif 000002
【特許請求の範囲】
【請求項１】
変流器の２次側に、電流検出器と避雷器との直列回路と、前記電流検出器の接点とを並列接続し、変流器の２次側が開放状態になって高電圧が発生すると、避雷器が通電し、その通電電流で電流検出器が動作して、その接点を閉成することを特徴とする変流器の保護装置。
【発明の詳細な説明】
【技術分野】
【０００１】
この発明は、変流器の２次側が開放されたときに発生する高電圧による変流器の損傷を防止する変流器の保護装置に関するものである。
【背景技術】
【０００２】
変流器は、大電流が流れる１次側の電流を計測する目的で、変流器が使用されている。変流器は１次側に流れる大電流を、２次側に接続される計測器で計測可能な電流に変換して計測するようしている。変流器の２次側と計測器間は、比較的距離的が離れているので、通常所定のケーブルを介して接続されている。
【特許文献１】特開平５−２８４６３９号公報
【特許文献２】特開平８−１８２１８３号公報
【特許文献３】特開平１０−１４４５４０号公報
【発明の開示】
【発明が解決しようとする課題】
【０００３】
上述したケーブル等が、何らかの原因で断線した場合には、変流器の２次側回路が開放状態になるので、変流器の２次側回路に高電圧が発生して、変流器が焼損する惧れがある。
【０００４】
この発明は、上記の事情に鑑みてなされたもので、変流器の２次側回路が何らの原因で開放状態になったときでも、即座に２次側を短絡させて変流器の焼損を未然に防止するようにした変流器の保護装置を提供することを課題とする。
【課題を解決するための手段】
【０００５】
上記の課題を達成するために、この発明は、変流器の２次側に、電流検出器と避雷器との直列回路を並列接続するとともに、前記電流検出器の接点を並列接続し、変流器の２次側が開放状態になって高電圧が発生すると、避雷器が通電し、その通電電流で電流検出器が動作して、その接点を閉成することを特徴とする。
【発明の効果】
【０００６】
以上述べたように、この発明によれば、変流器の２次側回路が何らの原因で開放状態になったときでも、即座に２次側を短絡させて変流器の焼損を未然に防止することができる利点がある。
【０００７】
また、避雷器の高速動作と、その後の電流検出器における大容量の接点閉成による２段階動作で、変流器の保護精度をさらに向上させることができる利点もある。
【発明を実施するための最良の形態】
【０００８】
以下この発明の実施の形態を図面に基づいて説明する。図１はこの発明の実施の形態を示す概略構成図で、図１において、１１は電力系統など大電流が流れる線路で、この線路１１に流れる電流を計測するために変流器１２が設置される。変流器１２の２次側には、第１電流検出器１３とプラグイン形避雷器１４との直列回路１５が並列接続されるとともに、第１電流検出器１３の接点１３ａも並列接続される。
【０００９】
上記のように構成された実施の形態において、変流器１２の２次側が何らの原因で開放状態になり、その２次側に高電圧が発生すると、まず、接点１３ａより高速に動作する避雷器１４が動作して、変流器１２の２次側を短絡させて変流器１２の焼損を防止する。
【００１０】
避雷器１４が動作すると、直列回路１５には避雷器通電電流ｉBが流れる。この通電電流ｉBが、第１電流検出器１３を動作させる電流値以上になると、この第１電流検出器１３の接点１３ａが閉成して、変流器１２の２次側の短絡させる。この接点１３ａの閉成によって、変流器１２の２次側が短絡され、変流器１２が高電圧によって焼損になることから保護することができる。
【００１１】
この動作により、変流器１２の焼損の防止を、避雷器の高速動作と、その後の接点１３ａの閉成によって確実に保護することができ、変流器の保護の精度を向上させることができるようになる。
【００１２】
なお、接点１３ａは、避雷器１４に比べて電流容量が大きく、また、接点１３ａは、リセットさせるまで閉成状態を継続するように構成されている。
【００１３】
一方、変流器１２の２次側には、図示しない計測器がケーブル１６を介して接続されているので、変流器１２の２次側に大電流が発生すると、その大電流で計測器が故障する惧れがある。このため、大電流が流れると第２電流検出器１７が動作し、変流器１２の２次側とケーブル１６とを接続するラインに介挿された接点１７ｂが開放し、計測器へ大電流が流れるのを防止する。
【図面の簡単な説明】
【００１４】
【図１】この発明の実施の形態を示す概略構成図。
【符号の説明】
【００１５】
１１…線路
１２…変流器
１３…第１電流検出器
１３ａ…接点
１４…プラグイン形避雷器
１５…直列回路
【図１】
2007035808.tif 000003
(57)【要約】【課題】  ナースコール呼び出し装置が安価で感触が良い接点を提供する。【解決手段】  孔が多くあいているスポンジ状の弾力性のある絶縁物を、表面に凹凸がある導体の間に挟む構造にする手段と、  表面側の導体は弾性力がある材料で構成する手段を採用し、外部から圧力が加えられた時にスポンジ状の絶縁物と表面側の導体が圧縮されて、スポンジ状の絶縁物の孔を通して内部と外側の導体が電気的に導通し、外部からの圧力がなくなるとスポンジ状の絶縁物と外側の導体が弾性力で復旧して電気的導通状態が解除する手段を設ける。【選択図】図１
2007035487.tif 000002
【特許請求の範囲】
【請求項１】
表面に凹凸がある第１の導体と、前記第１の導体の表層にあるスポンジ状に多孔で弾力性がある絶縁物と、さらに前記スポンジ状に多孔で弾力性がある絶縁物の表層にある表面に凹凸があって弾力性のある第２の導体とで円筒状に構成される接点であり、  外部から圧力が加えられた時に前記第１の導体と、前記第２の導体が電気的に導通して呼び出しができることを特徴とするナースコール呼び出し装置。
【請求項２】
表面に凹凸がある第１の導体と、前記第１の導体の表層にあるスポンジ状に多孔で弾力性がある絶縁物と、さらに前記スポンジ状に多孔で弾力性がある絶縁物の表層にある表面に凹凸があって弾力性のある第２の導体とで平面状に構成される接点であり、  外部から圧力が加えられた時に前記第１の導体と、前記第２の導体が電気的に導通して呼び出しができることを特徴とするナースコール呼び出し装置。
【発明の詳細な説明】
【技術分野】
【０００１】
本発明は、病院や福祉・介護施設で利用されるナースコールの呼び出し装置に関する。
【背景技術】
【０００２】
周知の様に、病院や福祉介護施設では主に看護師（福祉介護施設では介護士など）と患者が通話する為のナースコール装置が設置されている。  このナースコール装置では、患者が呼び出しに使用するナースコール呼び出し装置が各ベッドに備えられ、ナースステーションにはナースコール親機が設置されていて、その間で通話できるようになっている。（特許文献１を参照）
【特許文献１】特許公開２００３−２３４８３６
【発明の開示】
【発明が解決しようとする課題】
【０００３】
ナースコール呼び出し装置は、一般に呼び出し用のボタンと、ボタンに連結しているマイクロスイッチで構成されている。    マイクロスイッチは安価であるが、さらに安価でスイッチの感触が良い接点を追及する。
【課題を解決するための手段】
【０００４】
孔が多くあいているスポンジ状の弾力性のある絶縁物を、表面に凹凸がある導体の間に挟む構造にする手段と、  表面側の導体は弾性力がある材料で構成する手段を採用し、外部から圧力が加えられた時にスポンジ状の絶縁物と表面側の導体が圧縮されて、スポンジ状の絶縁物の孔を通して内部と外側の導体が電気的に導通し、外部からの圧力がなくなるとスポンジ状の絶縁物と外側の導体が弾性力で復旧して電気的導通状態が解除する手段を設ける。
【発明の効果】
【０００５】
特別な接点構造を持たないために安価に製造できる。    また、一点だけの接触ではなく多面積で導体同士が導通する為、柔らかな感触が得られる。
【発明を実施するための最良の形態】
【０００６】
本発明の実施形態を図に基づいて説明する。
図１は、円筒状に構成したナースコール呼び出し装置の構造を示した図である。  最も内側の導体（１）は、外部からの軽い圧力では変形しない硬質な導体であり、外側表面は凹凸がある。
【０００７】
最も外側の導体（３）は、弾性力があり、外部からの軽い人が握る程度の圧力で内側に圧縮する材質を選ぶ。  例えば、導電ゴムなどを使用してもよい。    また、導体（３）の内側表面は凹凸があり、外部からの圧力が加えられた時に導体（１）と電気的に導通し易くする。
【０００８】
導体（１）と導体（３）の間に孔が多く開いたしかも弾力性があるスポンジ状の絶縁物（２）を挿入する。  例えば、発泡ウレタンなどを使用する。  外部からの圧力が加えられていない時は、  絶縁物（２）によって導体（１）と導体（３）は接触していない。      外部から圧力が加えられた時に、絶縁物（２）の孔を通して導体（１）と導体（３）が接触し、ＯＮ信号がリード線（５）によって外部へ取り出され、ナースコール呼び出しがあったことをナースコール親機側へ伝える。
【０００９】
図２は、導体（１）と導体（３）と絶縁物（２）の断面図である。    外部から圧力が加えられていない状態を示す。
【００１０】
図３は、平面状に導体（１）、導体（３）、絶縁物（２）を構成した場合を示す。
【図面の簡単な説明】
【００１１】
【図１】円筒状のナースコール呼び出し装置
【図２】ナースコール呼び出し装置の導体部の断面図
【図３】平面状のナースコール呼び出し装置
【符号の説明】
【００１２】
1.           
硬質の導体
2.           
弾性力があるスポンジ状絶縁物
3.           
弾性力がある導体
4.           
表面絶縁物
5.           
リード線
【図１】
2007035487.tif 000003
【図２】
2007035487.tif 000004
【図３】
2007035487.tif 000005
(57)【要約】      （修正有）【課題】微小循環の滞り、活性酸素の過剰産生による組織の炎症を改善する働きを持ち、糖尿病、歯周病および関節炎に対応する経口組成物の提供。【解決手段】ボスウェリア  セラータ（Ｂｏｓｗｅｌｌｉａ  ｓｅｒｒａｔａ、カンラン科植物）、明日葉、ケール、緑茶葉、ブドウ種子抽出物、亜鉛・モリブデンを含む酵母、α−リポ酸、およびビタミンＣ、ビタミンＢ群を含有する経口組成物。【選択図】なし【特許請求の範囲】
【請求項１】
ボスウェリア・セラータ、明日葉、ケール、緑茶葉、ブドウ種子抽出物、亜鉛・モリブデンを含む酵母、α−リポ酸、およびビタミンＣ、ビタミンＢ群を含有することを特徴とする経口組成物。
【請求項２】
糖尿病、歯周病および関節炎の改善を目的とする、請求項１記載の経口組成物。
【発明の詳細な説明】
【技術分野】
【０００１】本発明は、糖尿病、歯周病および関節痛を改善する機能をもつ経口組成物、健康食品に関する。
【背景技術】
【０００２】まず、糖尿病に関して、厚生労働省糖尿病実態調査報告（平成１４年）によると、「糖尿病が強く疑われる人」は約７４０万人、「糖尿病の可能性を否定できない人」は約８８０万人と推計され、両者を合計すると約１，６２０万人で、成人の６人に１人は糖尿病かその予備軍であることがわかる。【０００３】糖尿病に対する治療としては、食事療法や運動療法、薬物療法（血糖を下げる薬、糖分の吸収を遅らせる薬、インスリンの働きを良くする薬などの内服薬とインスリン注射）が行われる。薬物療法においては、薬の副作用や注射による苦痛といった不都合が生じる。【０００４】次に、歯周病に関して、厚生労働省日本歯科疾患実態調査（平成１１年版）によると４３歳以上で８割、５０歳以上では９割が歯周病に罹患しているといわれている。最近では、歯周病が口腔癌、心臓疾患、脳梗塞、骨粗鬆症、早産、糖尿病、呼吸器感染症などの慢性疾患と関連しており、歯周病は全身性疾患であり、単に口腔内にその症状が現れているにすぎないと考えられている。【０００５】歯周病の主たる治療方法は、ＳＲＰ、抗生物質、及び外科処置であるが、臨床的研究により、ＳＲＰ処置の効果が不十分なケースが少なくないということが分かっている。ＳＲＰは局所的な方法であり、歯周病の全身性については何も処置を施していない。抗生物質は一時的な助けになるが、再発を防止することはできない。外科処置は最終手段として位置づけられているが、痛みを伴い、高額な費用がかかる。【０００６】次に、関節炎に関して、厚生労働省国民生活基礎調査（平成４年）によれば、「手足の関節が痛む者」、すなわちリウマチの訴えのある者は２３０万人に達し、厚生省長期慢性疾患総合研究事業平成９年度研究報告書によれば、関節リウマチの有病率は０．３３％で全国患者数は約６０万人と推計されている。【０００７】このような症状がみられるものとしては、変形性股関節症、変形性膝関節症のような変形性関節症（ＯＡ）、慢性関節リウマチ（ＲＡ）などの関節痛などがあげられる。このような症状に対する治療としては、非ステロイド性抗炎症薬（消炎鎮痛剤）、抗リウマチ薬、副腎皮質ステロイド剤（ステロイド）、免疫調節剤などによる薬物治療や温熱療法、体操と筋力強化、補装具の装着といった理学療法などのリハビリテーション、人工関節手術のような外科的治療が行われる。【０００８】このような治療方法は、副作用を生じたり患者に苦痛を与えたりするなどの不都合があるし、原因が不明であるために根本的に治療することは難しい。また、痛みがそれほど重症でない場合には、湿布などにより家庭内で処置をしたり、我慢したりすることも多い。【０００９】最近になって、これら３つの疾病に共通している根本的な原因として、微小循環の血流の滞り、活性酸素の過剰産生による組織の炎症が指摘されている。【００１０】ボスウェリア  セラータ（Ｂｏｓｗｅｌｌｉａ  ｓｅｒｒａｔａ）（カンラン科）は、インドの乾燥した丘陵地域に豊富に生えている枝を広げた落葉性の大きな木である。これは「Ｄｈｕｐ」、インドトスゴム（Ｉｎｄｉａｎ  Ｆｒａｎｋｉｎｃｅｎｓｅ）またはインドオリバナム（Ｉｎｄｉａｎ  Ｏｌｉｂａｎｕｍ）として知られている。土地ことばで「���ａｌａｉ  ｇｕｇｇａｌ」で知られているボスウェリアセラータ（Ｂｏｓｗｅｌｌｉａ  ｓｅｒｒａｔａ）のゴム樹脂滲出液は、アーユルヴェーダの薬の規則において、リウマチ、呼吸性疾患、および肝障害の管理に使われている。現代医学におけるボスウェリア  セラータ（Ｂｏｓｗｅｌｌｉａ  ｓｅｒｒａｔａ）の主な利用は抗関節炎および抗炎症性の薬理学的薬剤としてのものである。【００１１】明日葉、ケール、緑茶葉、ブドウ種子抽出物に含まれるポリフェノール、α−リポ酸、ビタミンＣは抗酸化作用を持つことが知られている。また、亜鉛は体内で強い抗酸化作用を持つＳＯＤ（Ｓｕｐｅｒｏｘｉｄｅ  Ｄｉｓｍｕｔａｓｅ）の構成物質の１つである。【００１２】以上のように、上記の素材はそれぞれ抗炎症作用、微小循環改善作用あるいは抗酸化作用が確認されている。しかし、これらの素材を組み合わせることで、糖尿病、歯周病および関節炎が大幅に改善するという報告はない。
【発明が解決しようとする課題】
【００１３】糖尿病、歯周病および関節炎の共通の原因と考えられる微小循環の滞り、活性酸素の過剰産生による組織の炎症を改善する働きを持ち、糖尿病、歯周病および関節炎に対応した食品の提供が求められている。本発明は、微小循環の改善効果、抗酸化作用、抗炎症作用が確認されている素材を組み合わせることで、糖尿病、歯周病および関節炎などに効果的な健康食品を提供することをその目的とする。
【課題を解決するための手段】
【００１４】本発明は、種々検討した結果、ボスウェリアセラータ、明日葉、ケール、緑茶葉、緑茶葉、亜鉛・モリブデンを含む酵母、α−リポ酸、およびビタミンＣ、ビタミンＢ群の併用摂取が、微小循環の滞り、活性酸素の過剰産生による組織の炎症を改善する働きを持ち、糖尿病、歯周病および関節炎を改善する効果があることを見出した。
(57)【要約】      （修正有）【課題】制御装置の誤作動や、ブレ−キ機構の不具合により不適正な位置に停止したエレベ−タの乗り降りにともなう転倒事故防ぎ、ドアが開いたまま暴走をして事故を起こすことのない構造を持つエレベ−タを提供する。【解決手段】エレベータの出入り口の片側または両側にヒンジ３で取り付けられたドア２が、ヒンジを支点としてエレベータ本体１の外側に開くよう構成する。所定の位置以外では絶対に開かない構造をもち、所定位置で開いたドアが閉まらない限り昇降運動が不可能な構造のエレベ−タであれば良い。【選択図】図６
2007326710.tif 000002
【特許請求の範囲】
【請求項１】
出入り口の片側、または両側にヒンジによって取りつけられたドアが、ヒンジを支点としてエレベ−タ本体の外側にむけて開くことを特徴とする、人間および物品運搬用のエレベ−タ。
【請求項２】
出入り口の片側、または両側にヒンジによって取りつけられ、中間で縦に複数個に分割され、屈折できるよう互いに蝶番やヒンジなどで連結されたドアが、エレベ−タ本体の外側にむけて開くことを特徴とする、人間および物品運搬用のエレベ−タ。
【発明の詳細な説明】
【技術分野】
【０００１】    本発明はエレベ−タに関する。
【背景技術】
【０００２】    従来のエレベ−タは板状の引き戸式ドアを備えたのや、内外より透視が可能な伸縮自在の網戸式ドアを備えたものがあるが、いずれも横開きである。【０００３】    そのため、従来方式のドアではエレベ−タの位置にかかわりなくドアの開閉は空間的には可能であるから、制御装置の誤動作やブレ−キ機構の不具合によって所定の停止位置でなくてもドアが開く可能性があり、そのためにエレベ−タの床と建物の床の段差に気付かない使用者が転倒したり転落したりする事故の原因となる。【０００４】    また、使用者がエレベ−タに乗り降りしているさなかでも、誤動作によってドアが開いたまま上昇、下降の動作をする可能性があり、重大な事故の原因となり得る。
【発明が解決しようとする課題】
【０００５】    本発明は以上のような従来の欠点に鑑み、正規の停止位置以外ではドアが開くことなく、またドアが開いている状態では使用者の意志に反して制御機器の誤動作によってもエレベ−タが発進することのない、安全なエレベ−タを提供することを目的とする。
【０００６】    本発明の前記ならびにそのほかの目的と新規な特徴は次の説明を添付書類と照らし合わせて読むと、より完全に明らかになるであろう。
ただし図面はもっぱら解説のためのものであって、本発明の技術的範囲を限定するものではない。
【課題を解決するための手段】
【０００７】    上記目的を達成するために、本発明はエレベ−タ出入り口の片側または両側にヒンジで取りつけられたドアが、ヒンジを支点としてエレベ−タ本体の外側に開くよう構成している。
【発明を実施するための最良の形態】
【０００８】    以下図面に示す実施の形態により、本発明を説明する。【０００９】    図１ないし図４に示す本発明の第１の実施の形態において、エレベ−タ本体１の片側または両側に、ヒンジ３を支点として外側にむけて開閉するドア２で構成されている。【００１０】    図５は、エレベ−タの本体１が建物５の開口部でなくて不適正な停止位置にある場合に、ドア２は外側に開けない状態を示す。【００１１】    図６は、エレベ−タが適正な停止位置にあるときドア２は外側に開くことができる状態を表し、制御装置が誤動作して駆動装置に上昇・下降の信号を出しても、本体１はドア２と建物５でロックされるので動けな状態を示す。
【発明の異なる実施の形態】
【００１２】    図７ないし図１０に示す本発明の第２の実施の形態において、本発明の第１の実施の形態と異なるところは、一枚のドアを縦に複数個に分割して蝶番やヒンジによって連結されたドア４によって出入り口の開閉をするもので、より少ない空間を占めることにより使用者の乗り降りがより円滑になるものである。
【発明の効果】
【００１３】    以上の説明から明らかなように、本発明の構造を備えたエレベ−タにおいては、万が一に発生しないとも限らない制御装置の誤動作にたいして、使用者の安全を保証する。
【図面の簡単な説明】
【００１４】
【図１】本発明の第１の実施の形態のドアが閉じた状態の斜視図。
【図２】本発明の第１の実施の形態のドアが閉じた状態の斜視図。
【図３】本発明の第１の実施の形態のドアが開いた状態の斜視図。
【図４】本発明の第１の実施の形態のドアが開いた状態の斜視図。
【図５】本発明の第１の実施の形態の不正位置における状態の説明図。
【図６】本発明の第１の実施の形態の適正位置における状態の説明図。
【図７】本発明の第２の実施の形態のドアが半開き状態の斜視図。
【図８】本発明の第２の実施の形態のドアが半開き状態の斜視図。
【図９】本発明の第２の実施の形態のドアが開いた状態の斜視図。
【図１０】本発明の第２の実施の形態のドアが開いた状態の斜視図。
【符号の説明】
【００１５】１：エレベ−タ本体                    ２：単体のドア
３：ヒンジ                            ４：分割されたドア
５：建物                              ６：建物側のドア
【図１】
2007326710.tif 000003
【図２】
2007326710.tif 000004
【図３】
2007326710.tif 000005
【図４】
2007326710.tif 000006
【図５】
2007326710.tif 000007
【図６】
2007326710.tif 000008
【図７】
2007326710.tif 000009
【図８】
2007326710.tif 000010
【図９】
2007326710.tif 000011
【図１０】
2007326710.tif 000012